(57)【要約】【課題】  音や画像などの記録データを、簡単に分類、整理できる記録装置を提供することである。【解決手段】  記録データを取り込むデータ取り込み手段６と、これに連係した複数の記録ボタン１〜４と、これらの記録ボタンに連係したボタン判定手段５と、データ取り込み手段６およびボタン判定手段５に連係したデータ処理手段７と、データ処理手段に連係した記憶手段８とからなる。そして、各記録ボタンは、データ取り込み手段を動作させ、データ取り込み手段は、取り込んだ記録データをデータ処理手段に対して出力し、上記ボタン判定手段は、データ取り込み手段を動作させた記録ボタンを特定し、さらに、その記録ボタンのボタン特定情報をデータ処理手段に対して出力し、データ処理手段は、データ取り込み手段から入力された記録データに、ボタン判定手段から入力されたボタン特定情報を対応づけて記憶手段に記憶させる機能を有する。【選択図】  図１
2005277782.tif 000002
【特許請求の範囲】
【請求項１】
音や画像などの記録データを取り込むデータ取り込み手段と、これに連係した複数の記録ボタンと、これら複数の記録ボタンに連係したボタン判定手段と、上記データ取り込み手段およびボタン判定手段に連係したデータ処理手段と、このデータ処理手段に連係した記憶手段とからなり、上記各記録ボタンは、データ取り込み手段を動作させる機能を有し、上記データ取り込み手段は、取り込んだ記録データを上記データ処理手段に対して出力する機能を有し、上記ボタン判定手段は、データ取り込み手段を動作させた記録ボタンを特定する機能と、特定した記録ボタンのボタン特定情報をデータ処理手段に対して出力する機能とを有し、上記データ処理手段は、上記データ取り込み手段から入力された記録データに、上記ボタン判定手段から入力されたボタン特定情報を対応づけて上記記憶手段に記憶させる機能を有する記録装置。
【請求項２】
データ処理手段に連係させたデータ入力手段およびデータ出力手段を備え、上記データ処理手段は、上記データ入力手段を介してボタン特定情報が入力されたとき、このボタン特定情報に対応した記録データを記憶手段から抽出して、それを再生データとしてデータ出力手段へ出力する機能を有する請求項１に記載の記録装置。
【発明の詳細な説明】
【技術分野】
【０００１】
この発明は、音や画像などのデータを取り込んで記憶する記録装置に関する。
【背景技術】
【０００２】
画像の記録装置として、デジタルカメラがあるが、デジタルカメラで撮影した画像データは、デジタルカメラ内のメモリに記憶される。そのとき、撮影された画像データには、撮影日時などに関連した数字列などのファイル名が付けられる。また、撮影条件などのデータも、Exif（Exchangeable image file format）などによって画像に格納されることもある。
例えば、２００４年２月１日に１００枚の写真を撮影すると、その画像データには、図５の表に示すように「２００４０２０１〜１」，「２００４０２０１〜２」，・・・，「２００４０２０１〜１００」というファイル名が付いて、撮影順にメモリに記憶される。
これらのファイル名は、通常、ユーザーが、必要に応じて変更することができるようになっている。
なお、上記のようなデジタルカメラにおけるデータの保存方法は、実際に行われていることであり、これに関する先行技術文献調査は行っていない。
【発明の開示】
【発明が解決しようとする課題】
【０００３】
上記のようなファイル名が付けられた多数の画像データを、撮影対象の種類毎、例えば、「人物」、「自然」、「食べ物」に分類したいというような場合には、次のような作業をしていた。
ユーザーは、撮影した画像データを、デジタルカメラのメモリから、パソコンなどに移してから、分類別のフォルダを作成する。そして、各フォルダに対応する画像データを分類する際には、個々の画像データを確認して、その内容で分類先のフォルダを決めていた。
あるいは、ファイル名から、画像データの分類が分かるように、１つ１つの画像データの内容を確認してから、個々のファイル名を変更するという作業をすることもあった。
どちらにしても、撮影した全ての画像データを、一度は確認する必要があった。
【０００４】
あるいは、全ての写真をプリントして、それを見ながら分類するという方法も考えられる。
しかし、いずれにしても、上記のような作業は、撮影した画像を、全て確認しなければならないので、時間と手間がかかってしまうという問題があった。
また、画像データに限らず、録音装置で録音した音データを整理する場合も、同様である。
この発明の目的は、音や画像などの記録データを、簡単に分類、整理できる記録装置を提供することである。
【課題を解決するための手段】
【０００５】
第１の発明の記録装置は、音や画像などの記録データを取り込むデータ取り込み手段と、これに連係した複数の記録ボタンと、これら複数の記録ボタンに連係したボタン判定手段と、上記データ取り込み手段およびボタン判定手段に連係したデータ処理手段と、このデータ処理手段に連係した記憶手段とからなり、上記各記録ボタンは、データ取り込み手段を動作させる機能を有し、上記データ取り込み手段は、取り込んだ記録データを上記データ処理手段に対して出力する機能を有し、上記ボタン判定手段は、データ取り込み手段を動作させた記録ボタンを特定する機能と、特定した記録ボタンのボタン特定情報をデータ処理手段に対して出力する機能とを有し、上記データ処理手段は、上記データ取り込み手段から入力された記録データに、上記ボタン判定手段から入力されたボタン特定情報を対応づけて上記記憶手段に記憶させる機能を有する点に特徴を有する。
【０００６】
第２の発明は、上記第１の発明の記録装置を前提とし、上記データ処理手段に連係させたデータ入力手段およびデータ出力手段を備え、上記データ処理手段は、上記データ入力手段を介してボタン特定情報が入力されたとき、このボタン特定情報に対応した記録データを記憶手段から抽出して、それを再生データとしてデータ出力手段へ出力する機能を有する点に特徴を有する。
【発明の効果】
【０００７】
第１および第２の発明によれば、記録データに、記録ボタンを特定するためのボタン特定情報が、自動的に対応づけて記憶されるので、このボタン特定情報を用いて、記録データの分類が簡単にできるようになる。特に、多数の記録データの、分類、整理に大きな効果を発揮する。
第２の発明によれば、記憶している記録データを、分類別に再生することが、簡単にできるようになる。
【発明を実施するための最良の形態】
【０００８】
図１〜図４を用いて、この発明の一実施形態を説明する。
図１は、この発明の記録データである画像を取り込んで記憶するデジタルカメラＸの構成を表した図である。このデジタルカメラＸは、４個のシャッターボタン１〜４と、これらのシャッターボタン１〜４のそれぞれに接続されたボタン判定手段５と、撮影手段６とを備えている。上記４個のシャッターボタン１〜４は、ユーザーが、いずれか１個を押すことによって、写真を撮影することができる通常のシャッターボタン機能を備えていて、この発明の記録ボタンである。
なお、ここでは、４個のシャッターボタン１〜４を設けているが、シャッターボタンの数は４個に限らない。後で、詳しく説明するが、シャッターボタンの数だけ、記録データを分類することができる。
【０００９】
また、上記ボタン判定手段５および上記撮影手段６には、データ処理手段７を接続している。さらに、このデータ処理手段７には、メモリ８と、モニタ９と、操作スイッチ１０とを接続している。
そして、上記撮影手段６は、通常のデジタルカメラ機能を備えた部分であり、この発明のデータ取り込み手段に当たる。そして、この撮影手段６は、上記４個のシャッターボタン１〜４のいずれかが押されたときに、撮影指示信号を受信して撮影を行い、画像データを上記データ処理手段７へ入力する。なお、上記シャッターボタン１〜４から、この撮影手段６へ入力される撮影指示信号は、電気的なものでも、機械的なものでもかまわない。
【００１０】
上記ボタン判定手段５は、ユーザーが、写真撮影をする際に、上記シャッターボタン１〜４のうちいずれが押されたのかを判定する機能を備えている。このボタン判定手段５も、電気的、機械的、いずれの方法で、押されたボタンを区別するようにしてもかまわない。そして、このボタン判定手段５は、押されたシャッターボタンを特定したら、そのボタン特定信号をデータ処理手段７へ入力する機能を備えている。
【００１１】
また、上記データ処理手段７は、撮影手段６から入力された画像データに、撮影条件などのデータを付加するとともに、例えば、撮影年月日を基にしたファイル名を付けて、メモリ８へ記憶させる。ただし、画像データをメモリ８へ記憶させる際に、上記ボタン判定手段５から入力されたボタン特定情報も、上記画像データに対応づけてメモリ８に記憶させる。このボタン特定情報は、対応する画像データのファイル名中に付加しても良いし、Exifなどによって付加してもかまわない。要するに、メモリ８に記憶される画像データが、それぞれ、どのシャッターボタン１〜４によって撮影されたものなのかが、分かるように記憶されればよいのである。
【００１２】
上記モニタ９は、メモリ８が記憶している画像データを、再生して表示させるためのこの発明の出力手段に当たる。ただし、このモニタ９は、撮影時に、デジタルカメラのファインダーとしても機能する。
また、上記操作スイッチ１０は、撮影した画像を再生する際に、その再生指示信号を入力するためのスイッチである。そして、この操作スイッチ１０は、再生の指示とともに、再生したい画像が、シャッターボタン１〜４のいずれで撮影した画像であるかを選択するためのボタン特定情報を入力できるようにしている。
【００１３】
以下に、このデジタルカメラＸを用いて撮影する手順を説明する。
図２には、撮影時における、各要素間のデータの流れを、矢印で示しているので、これを用いて説明する。
なお、上記各シャッターボタン１〜４のそれぞれには、撮影対象の分類を予め決めておく。例えば、シャッターボタン１は人物、シャッターボタン２は景色、シャッターボタン３は食べ物、シャッターボタン４は動物、というように決めて、それぞれ、対応する対象を撮影する際に、そのシャッターボタンを押すようにする。この対応は、ユーザーが、自由に決めることができるが、決めた対応関係を忘れてしまわないように、各シャッターボタン位置に、上記分類を表したラベルなどを貼り付けるようにすると良い。また、各シャッターボタン１〜４が区別しやすいように、ボタンの形や色などを変えてもよい。
【００１４】
例えば、ユーザーが、人物を撮影するために、シャッターボタン１を押すと、図２に示すように、撮影指示信号ａが撮影手段６およびボタン判定手段５へ入力される。
上記撮影指示信号ａが入力された撮影手段６は、画像撮影を行い、画像データｂをデータ処理手段７へ入力する。また、ボタン判定手段５は、上記撮影指示信号ａを出力したシャッターボタンが、上記４個のシャッターボタン１〜４の内いずれなのか判定し、シャッターボタン１を特定して、このシャッターボタン１のボタン特定情報ｃをデータ処理手段７に対して出力する。
【００１５】
上記データ処理手段７は、撮影手段６から入力された画像データｂに、上記ボタン特定情報ｃを対応づけて、記録データｄとして、メモリ８に記憶させる。
画像データｂとボタン特定情報ｃとを対応づけて記憶させる方法として、ここでは、図３に示すように、ファイル名にボタン特定情報表示記号１１を付加している。すなわち、シャッターボタン１のボタン特定情報が入力されたときには、データ処理手段７は、ファイル名の先頭に記号「Ａ」を付け、シャッターボタン２の時には記号「Ｂ」、シャッターボタン３の時は記号「Ｃ」、シャッターボタン４の時には記号「Ｄ」を、それぞれ画像データのファイル名の先頭に付けるようにしている。
【００１６】
なお、ここでは、画像データのファイル名の先頭に、ボタン特定情報表示記号１１を対応づけているが、上記表示記号１１を付加する位置は、ファイル名の先頭に限らずどこでもよい。
また、上記の例では、ボタン特定信号そのものを画像データに付加するのではなく、ボタン特定情報に応じた表示記号１１を付加するようにしているが、この表示記号１１を介して、画像データとボタン特定情報とが対応づけられる。
さらに、上記ボタン特定情報は、画像データのファイル名ではなく、Exifなどによって画像データに付加してもかまわない。要するに、各画像データに、その画像の撮影時に使用したシャッターボタンを特定するためのデータが対応づけられてメモリ８に記憶されればよい。
【００１７】
以上のように、メモリ８には、シャッターボタン１〜４を用いて撮影した画像データが、シャッターボタン１〜４のボタン特定信号に対応づけられたファイル名で記憶されている。そこで、これらの画像データを、例えば、パソコンなどに取り込んで整理する際には、ファイル名の上記ボタン特定情報表示記号１１によって、コンピュータで、簡単に分類処理することができる。つまり、上記表示記号Ａのデータは人物、表示記号Ｂのデータは景色、表示記号Ｃのデータは食べ物、表示記号Ｄのデータは動物、というように、分類することができる。このように、画像内容を確認する必要がなく、自動的に分類処理ができるので、画像データ数が多くなっても人の手間や、時間をかける必要がない。
【００１８】
次に、上記のようにして、シャッターボタン１〜４を特定するためのボタン特定情報を対応づけてメモリ８が記憶している画像データから、分類を指定して、上記デジタルカメラＸのモニタ９に画像を再生する手順を、図４を用いて説明する。
図４は、画像再生の際の、デジタルカメラＸ内でのデータの流れを示した図である。
まず、ユーザーは、操作スイッチ１０によって、再生指示信号および分類特定信号ｅを入力する。上記分類特定信号とは、上記ボタン特定情報であり、操作スイッチ１０は、ボタン特定情報を入力するためのこの発明のデータ入力手段に当たる。
【００１９】
そして、ユーザーは、操作スイッチ１０によって、再生指示を入力するとともに、再生したい画像データの分類に対応するシャッターボタン１〜４のいずれかを特定する。例えば、操作スイッチ１０で、再生モードに切り換えると、シャッターボタン１〜４に対応した記号Ａ〜Ｄを選択するための画面がモニタ９に表示され、その表示と操作スイッチ１０の操作とによって、ユーザーが特定の記号を選択する。この記号の選択によって、ボタン特定情報が上記データ処理手段７に入力されるようにしている。
あるいは、操作スイッチ１０で、録画モードから再生モードに切り換えて、再生したい画像データの分類に対応するシャッターボタン１〜４のいずれかを押すことによって、そのシャッターボタン１〜４に対応したボタン特定情報がデータ処理手段７へ入力されるようにしてもよい。この場合には、上記操作スイッチ１０と、シャッターボタン１〜４とが相まって、この発明のデータ入力手段を構成することになる。
【００２０】
上記再生指示信号および分類特定信号ｅが、データ処理手段７に入力されたら、データ処理手段７は、メモリ８から、上記分類特定信号、すなわち、ボタン特定情報に対応する画像データを抽出し、それを再生データｆとしてモニタ９へ出力表示させる。
この再生データｆを表示するモニタ９が、この発明のデータ出力手段である。
なお、上記データ処理手段７が、特定の分類に対応する複数の画像データを抽出した場合には、さらに、それらの中から、再生すべきデータをユーザーが、選択できるようにしてもよいし、抽出した画像データを、全て自動的に順次表示させるようにしてもよい。
このように、この実施形態におけるデジタルカメラＸを用いれば、シャッターボタンを区別して撮影するだけで、メモリ８内に、自動的に分類された画像データが記憶される。また、メモリ８から、分類別に画像データを出力させることもできる。
従って、撮影した画像を分類整理することが簡単にできる。
【００２１】
なお、上記実施形態では、デジタルカメラＸが、この発明の記録装置であるが、この発明の記録装置は、画像データだけでなく、音データの記録にも適応可能である。
音データを記録する場合には、記録装置としてのデジタル録音機に、通常の録音機能を備えたデータ取り込み手段と、記録ボタンとしての録音開始ボタンと、ボタン判定手段と、データ処理手段とを設けている。そして、上記録音開始ボタンを複数個設け、ボタン判定手段が、上記複数の録音開始ボタンのうち、どのボタンが利用されたのかを判定して、ボタン特定情報をデータ処理手段に対して出力し、データ処理手段は、入力されたボタン特定情報と録音データとを対応づけて記憶手段に記憶させるようにする。
その結果、録音データの分類、整理も簡単にできるようになる。
【００２２】
また、記録装置としてのデジタルカメラを備えたデジタルカメラ付き携帯電話に、この発明を適用することもできる。その場合、携帯電話機のテンキーなど、電話機能のために設けられている複数のボタンに、シャッターボタンの機能を割り当てて構成することもできる。このようにすれば、携帯電話機に、複数のシャッターボタンを新たに設ける必要がない。
【図面の簡単な説明】
【００２３】
【図１】この発明の実施形態におけるデジタルカメラの構成図である。
【図２】実施形態のデジタルカメラによって撮影した画像データを記憶する際のデータの流れを示した模式図である。
【図３】実施形態の画像データのファイル名を示した表である。
【図４】実施形態のデジタルカメラによって記憶されている画像データを分類別に再生させる際の、データの流れを示した模式図である。
【図５】従来例のデジタルカメラにおける画像データのファイルを示した表である。
【符号の説明】
【００２４】
Ｘ        デジタルカメラ
１〜４    シャッターボタン
５        ボタン判定手段
６        撮影手段
７        データ処理手段
８        メモリ
９        モニタ
１０      操作スイッチ
【図１】
2005277782.tif 000003
【図２】
2005277782.tif 000004
【図３】
2005277782.tif 000005
【図４】
2005277782.tif 000006
【図５】
2005277782.tif 000007